(57)【特許請求の範囲】
【請求項１】
少なくとも、映像／音声／データ等と共に、ユーザの個人情報が番組提供者以外の第３者に通知される可能性があることを示す通知情報が、符号化・多重化され変調された放送・通信の信号を、受信し復調する受信手段と、該受信手段で復調された信号から所望の信号を分離する多重信号分離手段と、該多重信号分離手段により分離された映像／音声信号を復号する復号手段と、該復号手段により復号された映像信号にＯＳＤ（On Screen Display ）信号を合成するＯＳＤ合成手段と、各種情報を番組提供者側に送信する情報送信手段と、前記各手段を制御する解析制御手段とを、備えたディジタル放送受信装置において、
前記解析制御手段は、受信信号から前記通知情報を検出する通知情報検出手段と、ユーザからの入力を処理するユーザ入力処理手段と、ＯＳＤとして表示するデータを作成するＯＳＤデータ作成手段とを備え、前記通知情報検出手段によって前記通知情報を検出すると、無条件にあるいは所定条件を満たす場合に、前記通知情報検出手段の出力によって前記ＯＳＤデータ作成手段を制御してＯＳＤデータを作成し、前記ＯＳＤ合成手段でＯＳＤ信号を合成して、ユーザに対する確認用ＯＳＤ画面を表示し、ユーザから送信許可を示す入力を受けてから情報送信することを特徴とするディジタル放送受信装置。
【請求項２】
請求項１記載のディジタル放送受信装置において、
前記通知情報には、番組提供者以外の第３者に通知される個人情報に対する重要度レベルを示す値が設定されており、ユーザが確認画面の表示レベルを設定できるようにレベル設定手段を備えた解析制御手段を具備し、前記通知情報のレベルがユーザ設定レベル以上であれば、前記ＯＳＤデータ作成手段を制御してＯＳＤデータを作成し、前記ＯＳＤ合成手段でＯＳＤ信号を合成して、ユーザに対する確認用ＯＳＤ画面を表示し、ユーザから送信許可を示す入力を受けてから情報送信することを特徴とするディジタル放送受信装置。
【請求項３】
請求項１記載のディジタル放送受信装置において、
前記通知情報には、番組提供者以外の第３者に通知される個人情報の各項目を示す値が設定されており、確認画面表示を必要とする個人情報の項目をユーザが設定できるように項目設定手段を備えた解析制御手段を具備し、前記通知情報の項目がユーザ設定項目に該当すれば、前記ＯＳＤデータ作成手段を制御してＯＳＤデータを作成し、前記ＯＳＤ合成手段でＯＳＤ信号を合成して、ユーザに対する確認用ＯＳＤ画面を表示し、ユーザから送信許可を示す入力を受けてから情報送信することを特徴とするディジタル放送受信装置。
【請求項４】
少なくとも、映像／音声／データ等と共に、ユーザの個人情報が番組提供者以外の第３者に通知される可能性があることを示す通知情報が、符号化・多重化され変調された放送・通信の信号を、受信するディジタル放送受信装置において、
受信信号から前記通知情報を検出する通知情報検出手段と、該通知情報検出手段の出力に応じて、ユーザに対する確認用ＯＳＤデータを作成するＯＳＤデータ作成手段と、ユーザからの入力を処理するユーザ入力処理手段とを、具備したことを特徴とするディジタル放送受信装置。
【請求項５】
請求項１乃至４の何れか１つに記載のディジタル放送受信装置を内蔵したことを特徴とするテレビジョン受信機。
【請求項６】
少なくとも、映像／音声／データ等と共に、ユーザの個人情報が番組提供者以外の第３者に通知される可能性があることを示す通知情報が、符号化・多重化され変調された放送・通信の信号を、受信し復調する受信手段と、該受信手段で復調された信号から所望の信号を分離する多重信号分離手段と、該多重信号分離手段により分離された映像／音声信号を復号する復号手段と、該復号手段により復号された映像信号にＯＳＤ信号を合成するＯＳＤ合成手段と、各種情報を番組提供者側に送信する情報送信手段と、前記各手段を制御する解析制御手段とを、備えた装置のディジタル放送受信方法において、
前記解析制御手段は、受信信号から前記通知情報を検出する通知情報検出ステップと、該通知情報検出ステップの検出結果によって確認画面用ＯＳＤデータを作成し表示する確認画面表示ステップと、確認画面に対するユーザからの入力を処理するユーザ入力処理ステップと、該ユーザ入力処理ステップの結果によって情報を送信する情報送信ステップとを実行し、前記通知情報検出ステップによって前記通知情報を検出すると、無条件にあるいは所定条件を満たす場合に、ユーザに対する確認用ＯＳＤ画面を表示し、ユーザから送信許可を示す入力を受けてから情報送信することを特徴とするディジタル放送受信方法。
【請求項７】
請求項６記載のディジタル放送受信方法において、
前記通知情報には、番組提供者以外の第３者に通知される個人情報に対する重要度レベルを示す値が設定されており、ユーザが確認画面の表示レベルを設定できるレベル設定ステップと、前記通知情報のレベルとユーザ設定レベルを比較・判定するレベル比較ステップとを備え、前記通知情報のレベルがユーザ設定レベル以上であれば、ユーザに対する確認用ＯＳＤ画面を表示し、ユーザから送信許可を示す入力を受けてから情報送信することを特徴とするディジタル放送受信方法。
【請求項８】
請求項６記載のディジタル放送受信方法において、
前記通知情報には、番組提供者以外の第３者に通知される個人情報の各項目を示す値が設定されており、確認画面表示を必要とする個人情報の項目をユーザが設定できる項目設定ステップと、前記通知情報の項目とユーザ設定項目を比較・判定する項目比較ステップとを備え、前記通知情報の項目がユーザ設定項目に該当すれば、ユーザに対する確認用ＯＳＤ画面を表示し、ユーザから送信許可を示す入力を受けてから情報送信することを特徴とするディジタル放送受信方法。
【発明の詳細な説明】
【０００１】
【発明の属する技術分野】
本発明は、ディジタル放送・通信の受信技術に係り、特に、受信信号に含まれる情報によってＯＳＤ（On Screen Display ）画面を表示するようにしたディジタル放送の受信技術に関する。
【０００２】
【従来の技術】
双方向情報通信を行なうシステムにおいて、ユーザから情報サービス提供者側に情報を送信する場合の警告・確認画面の表示は、例えば、インターネットでの通信販売でユーザのクレジットカードの番号を送信する際に、警告・確認画面が表示されることなどが広く知られている。このように、ユーザの個人情報の保護を目的として、ユーザの個人情報を扱う際には、ユーザに注意を促し、確認を得るという方法をとっている。
【０００３】
ディジタル放送においても、双方向サービスが展開されており、ユーザから番組提供者（放送センタや番組配信センタ）側に情報を送信する場合も考えられる。番組提供者側では、視聴契約を管理するＩＣカードのカードＩＤなどから、ユーザの個人情報の特定が可能である。しかし、従来のディジタル放送では、ユーザの個人情報に対する警告・確認画面の表示は行われていない。
【０００４】
【発明が解決しようとする課題】
例えば、ディジタル放送の双方向サービスにおいて、番組提供者以外の第３者、例えば番組制作者などの依頼によって、番組提供者が代行して行うアンケート等に際し、このアンケートの回答などでユーザが入力した結果を番組提供者側に送信する場合に、ユーザの入力結果と共にユーザのカードＩＤが送信され、番組視聴ユーザの統計データ入手等を目的として、番組提供者以外のアンケート依頼者などの第３者が、カードＩＤを基にユーザの個人情報を得るなど、ユーザが関知しない形で個人情報が通知されてしまうことが考えられる。
【０００５】
本発明は上記の点に鑑みなされたもので、その目的とするところは、ディジタル放送受信装置において、受信信号の情報によって、個人情報通知の確認画面をＯＳＤで表示することにより、ユーザの個人情報が番組提供者以外の第３者に無断で通知されるのを防止することにある。
【０００６】
【課題を解決するための手段】
上記した目的を達成するために、本発明では例えば、少なくとも、映像／音声／データ等と共に、ユーザの個人情報が番組提供者以外の第３者に通知される可能性があることを示す通知情報が、符号化・多重化され変調された放送・通信の信号を、受信し復調する受信手段と、該受信手段で復調された信号から所望の信号を分離する多重信号分離手段と、該多重信号分離手段により分離された映像／音声信号を復号する復号手段と、該復号手段により復号された映像信号にＯＳＤ信号を合成するＯＳＤ合成手段と、各種情報を番組提供者側に送信する情報送信手段と、前記各手段を制御する解析制御手段とを、備えたディジタル放送受信装置において、前記解析制御手段は、受信信号から前記通知情報を検出する通知情報検出手段と、ユーザからの入力を処理するユーザ入力処理手段と、ＯＳＤとして表示するデータを作成するＯＳＤデータ作成手段とを備える。
【０００７】
【発明の実施の形態】
以下、本発明の実施の形態を、図面を用いて説明する。
図１は、本発明の第１実施形態にかかるディジタル放送受信装置の構成を示すブロック図である。
【０００８】
図１において、１００はディジタル放送受信装置で、このディジタル放送受信装置１００は、幾つかの映像／音声／データが多重化され変調された信号の入力端子１０１と、受信部１１と、多重信号分離部１２と、解析制御部１４と、復号部１５と、ＯＳＤ合成部１６と、ＯＳＤ合成部１６からの出力信号を出力する出力端子１０２と、ユーザの入力を受けるユーザ入力端子１０４と、ユーザの入力結果等を番組提供者側に送信する情報送信部１７と、情報送信部１７からの出力信号を出力する情報送信端子１０３とを有している。
【０００９】
解析制御部１４は、表示するＯＳＤデータを作成するＯＳＤデータ作成部１４１と、ユーザの入力を処理するユーザ入力処理部１４２と、通知情報を検出する通知情報検出部１４３とを含み、受信した情報を解析して各部を制御するとともに、ＯＳＤデータを作成する。
【００１０】
受信部１１は、復調や伝送時に発生した誤りを訂正する処理を行う。多重信号分離部１２は、多重化された信号から、所望の映像／音声／データの信号を選択抽出する。復号部１５は、符号化された映像／音声信号を復号する。ＯＳＤ合成部１６は、ＯＳＤデータと復号された映像信号を合成する。情報送信部１７は、ユーザの入力結果等を、情報送信端子１０３を通して番組提供者側に送信する。
【００１１】
次に、本実施形態のディジタル放送受信装置１００の動作を説明する。ここでは、ディジタル放送の双方向サービスにおいて、ユーザの個人情報が番組提供者以外の第３者に通知される可能性があることを示す通知情報を含む信号を受信して、前記多重信号分離部１５からの出力データにより前記通知情報検出部１４３で通知情報を検出し、ユーザからの情報を送信する前に、確認画面をＯＳＤで表示する動作例を説明する。
【００１２】
通知情報とは、上記のように、双方向サービスにおいて、ユーザから番組提供者側に情報を送信することにより、ユーザの個人情報が、番組提供者以外の第３者に通知される可能性があることを示すものである。
【００１３】
複数の情報が多重化されているディジタル信号が、前記入力端子１０１に入力され、前記受信部１１でディジタル信号を復調する。前記解析制御部１４は、所望の情報を得るために、前記多重信号分離部１２を制御する。前記ＯＳＤデータ作成部１４１は、前記多重信号分離部１２から得た情報を基に、双方向サービス用画面のＯＳＤデータを作成する。
【００１４】
前記復号部１５は、前記多重信号分離部１２から出力された信号を復号する。前記ＯＳＤ合成部１６は、前記ＯＳＤデータ作成部１４１からのＯＳＤデータと前記復号部１５で復号された映像信号を合成して、前記出力端子１０２に出力し、これにより、双方向サービス用画面が、例えばディジタル放送受信装置１００に接続されたテレビジョン受信機上に表示される。
【００１５】
図２に双方向サービス用画面の例を示す。図２に示した例は、番組でのアンケートに回答する画面２００であり、ユーザは装置１００用のリモコン等の適宜入力手段を用いて、各質問２０２に対する選択肢２０１から所望の項目を選び、決定することができる。なお、図２に示す画面は１例であり、双方向サービスの画面はこの限りではないことは、言うまでもない。
【００１６】
図２の双方向サービス用画面の表示状態において、ユーザが例えば装置１００用のリモコンによって、アンケートに回答するために項目の選択・決定を行うと、ユーザによる入力情報が、前記ユーザ入力端子１０４を介してユーザ入力処理部１４２に入力され、これを受けて前記ユーザ入力処理部１４２は、入力結果をＯＳＤ画面に反映させるために、前記ＯＳＤデータ作成部１４１を制御する。
【００１７】
また、アンケートの回答を送信する前に、前記通知情報検出部１４３は、前記多重信号分離部１２から得た通知情報に基づいて、前記ＯＳＤデータ作成部１４１によって確認画面用ＯＳＤデータを作成するように制御する。前記ＯＳＤデータ作成部１４１で作成された確認画面用ＯＳＤデータは、前記ＯＳＤ合成部１６で合成され、前記出力端子１０２から出力されて、例えばテレビジョン受信機上に表示される。
【００１８】
確認画面としては、例えば図３に示すような画面３００を表示し、氏名・年齢・住所・電話番号などの個人情報３０２が、番組提供者以外の第３者に通知されることをユーザに告知する。ユーザはリモコン等を用いて、「はい」か「いいえ」の項目３０１のどちらかを選択・決定し、これにより、個人情報通知の可／不可を決定できる。なお、図３に示す確認画面や個人情報は１例であり、この限りではないことは言うまでもない。
【００１９】
そして、ユーザの許可を得た場合のみ、前記情報送信部１７は、前記ユーザ入力処理部１４２から渡されたアンケートの回答などを、前記情報送信端子１０３に出力する。前記情報送信端子１０３からは、例えば電話回線などを用いて番組提供者側に情報を送信する。あるいは、双方向通信を行うＣＡＴＶシステムの場合には、前記情報送信端子１０３から、光通信ケーブルなどを用いて番組提供者側に情報を送信する。
【００２０】
このような、ユーザからの情報送信前に確認画面を表示する場合の処理手順の例を、図５に示す。受信した信号の中に通知情報が有るかどうかを判定して（ステップ５０１）、無ければ確認画面を表示せずに情報を送信し（ステップ５０４）、有れば確認画面を表示する（ステップ５０２）。確認画面の表示後、ユーザの許可が得られたかどうか判定して（ステップ５０３）、許可が得られた場合には情報を送信（ステップ５０４）し、許可が得られなかった場合は情報を送信しない。なお、図５に示した処理手順は１例であり、これに限るものではない。
【００２１】
このようにして、ユーザから番組提供者側への情報送信の際に、確認画面をＯＳＤで表示し、ユーザの許可を得てから情報を送信することが出来るため、ユーザが関知しない形で第３者に個人情報が通知されるのを防ぐことが可能になる。
【００２２】
図４は、本発明の本発明の第２実施形態にかかるディジタル放送受信装置の構成を示すブロック図である。図４において、図１の構成要素と均等なものには同一符号を付してあり、同図において、４０１はレベル設定部である。
【００２３】
本実施形態が第１実施形態と異なるのは、ユーザの個人情報が番組提供者以外の第３者に通知される可能性があることを示す通知情報に、通知される個人情報に対する重要度レベルが設定されている場合において、確認画面を表示するレベルをユーザが設定できるようにした点にある。
【００２４】
通知情報のレベル設定とは、例えば、レベル１ではユーザの「年齢」と「性別」、レベル２ではユーザの「年齢」「性別」「住所」「氏名」「電話番号」というように、扱う個人情報の種類によってレベルを設定することである。
【００２５】
ディジタル放送の双方向サービスで、レベルが設定された通知情報を含む信号を受信して、前記多重信号分離部１２からの出力データにより前記通知情報検出部１４３で通知情報を検出し、ユーザからの情報を送信する前に、ユーザの設定レベルに従って確認画面をＯＳＤで表示する動作例を説明する。なお、第１実施形態と異なる点について、その動作を説明する。
【００２６】
レベル設定部４０１は、ユーザから入力された確認画面表示レベルを、設定・記憶する。前記通知情報検出部１４３は、前記多重信号分離部１２から得た通知情報のレベルと、前記レベル設定部４０１から得たユーザ設定レベルとを比較し、通知情報レベルが設定レベル以上であれば、確認画面用ＯＳＤデータを作成するように前記ＯＳＤデータ作成部１４１を制御する。その他の動作は、第１実施形態と同じである。
【００２７】
このような、ユーザからの情報送信前に確認画面を表示する場合の処理手順の例を、図６に示す。なお、図６中において、図５に示した処理と同じ処理は同一の符号で示す。受信した信号の中に通知情報が有るかどうかを判定して（ステップ５０１）、無ければ確認画面を表示せずに情報を送信し（ステップ５０４）、有ればユーザが設定したレベルと比較する（ステップ６０１）。そして、通知情報レベルがユーザ設定レベルより小さければ、確認画面を表示せずに情報を送信し（ステップ５０４）、通知情報レベルがユーザ設定レベル以上であれば、確認画面を表示する（ステップ５０２）。確認画面の表示後、ユーザの許可が得られたかどうかを判定して（ステップ５０３）、許可が得られた場合には情報を送信し（ステップ５０４）、許可が得られなかった場合には情報を送信しない。なお、図６に示した処理手順は１例であり、これに限るものではない。
【００２８】
このようにして、第１実施形態と同様に、ユーザから番組提供者側への情報送信の際に確認画面をＯＳＤで表示し、ユーザの許可を得てから情報を送信することが出来るため、ユーザが関知しない形で第３者へ個人情報が通知されるのを防ぐことが可能になる。さらに、本実施形態では、確認画面の表示レベルをユーザが設定できるため、ユーザの設定したレベルに従って情報送信の確認画面を表示することが可能になる。
【００２９】
図７は、本発明の本発明の第３実施形態にかかるディジタル放送受信装置の構成を示すブロック図である。図７において、図１の構成要素と均等なものには同一符号を付してあり、同図において、７０１は項目設定部である。
【００３０】
本実施形態が第１実施形態と異なるのは、ユーザの個人情報が番組提供者以外の第３者に通知される可能性があることを示す通知情報に、第３者側が要求する個人情報の各項目を示す値が設定されている場合において、確認画面の表示を必要とする項目を、ユーザが設定できるようにした点にある。
【００３１】
通知情報の項目設定とは、例えば、項目番号１は「年齢」、項目番号２は「性別」、項目番号３は「住所」、項目番号４は「氏名」というように、扱う個人情報を項目番号で設定することである。
【００３２】
ディジタル放送の双方向サービスで、個人情報の項目が設定された通知情報を含む信号を受信して、前記多重信号分離部１２からの出力データにより前記通知情報検出部１４３で通知情報を検出し、ユーザからの情報を送信する前に、ユーザの項目設定に従って確認画面をＯＳＤで表示する動作例を説明する。なお、第１実施形態と異なる点について、その動作を説明する。
【００３３】
項目設定部７０１は、確認画面表示を必要とする項目として、ユーザから入力された項目を設定・記憶する。前記通知情報検出部１４３は、前記多重信号分離部１２から得た通知情報と、前記項目設定部７０１から得たユーザ設定項目とを比較し、通知情報の項目がユーザ設定項目に該当すれば、確認画面用ＯＳＤデータを作成するように、前記ＯＳＤデータ作成部１４１を制御する。なお、その他の動作は、第１実施形態と同じである。
【００３４】
このような、ユーザからの情報送信前に確認画面を表示する場合の処理手順の例を、図８に示す。なお、図８中において、図５に示した処理と同じ処理は同一の符号で示す。受信した信号の中に通知情報が有るかどうか判定して（ステップ５０１）、無ければ確認画面を表示せずに情報を送信し（ステップ５０４）、有ればユーザが設定した項目と比較する（ステップ８０１）。そして、通知情報の項目がユーザ設定項目に該当しなければ、確認画面を表示せずに情報を送信し（ステップ５０４）、通知情報の項目がユーザ設定項目に該当すれば、確認画面を表示する（ステップ５０２）。確認画面の表示後、ユーザの許可が得られたかどうかを判定して（ステップ５０３）、許可が得られた場合には情報を送信し（ステップ５０４）、許可が得られなかった場合は情報を送信しない。なお、図８に示した処理手順は１例であり、これに限るものではない。
【００３５】
このようにして、第１実施形態と同様に、ユーザから番組提供者側への情報送信の際に確認画面をＯＳＤで表示し、ユーザの許可を得てから情報を送信することが出来るため、ユーザが関知しない形で第３者へ個人情報が通知されるのを防ぐことが可能になる。さらに、本実施形態では、確認画面の表示を必要とする項目をユーザが設定できるため、ユーザの設定した項目に従って情報送信の確認画面を表示することが可能になる。
【００３６】
なお、上述した各実施形態においては、ディジタル放送受信装置をテレビジョン受信機と分離した形で示したが、各実施形態のディジタル放送受信装置を内蔵したテレビジョン受信機としてもよいことは、言うまでもない。図９は、第１実施形態のディジタル放送受信装置を内蔵した、テレビジョン受信機の要部構成を示しており、同図において、９００はテレビジョン受信機、９０１は表示部であり、また、１０４’はＴＶ用のリモコンの入力を受けるユーザ入力端子である。
【００３７】
【発明の効果】
以上のように、本発明によれば、受信信号の情報によって、ユーザから番組提供者側に情報を送信する際に確認画面をＯＳＤで表示することにより、ユーザの個人情報が番組提供者以外の第３者に無断で通知されるのを防ぐことができる。
【図面の簡単な説明】
【図１】本発明の第１実施形態にかかるディジタル放送受信装置の構成を示すブロック図である。
【図２】双方向サービス用ＯＳＤ画面の表示例を示す説明図である。
【図３】ユーザに対する確認用ＯＳＤ画面の表示例を示す説明図である。
【図４】本発明の第２実施形態にかかるディジタル放送受信装置の構成を示すブロック図である。
【図５】本発明の第１実施形態にかかるディジタル放送受信装置における、処理手順の一部を示すフローチャート図である。
【図６】本発明の第２実施形態にかかるディジタル放送受信装置における、処理手順の一部を示すフローチャート図である。
【図７】本発明の第３実施形態にかかるディジタル放送受信装置の構成を示すブロック図である。
【図８】本発明の第３実施形態にかかるディジタル放送受信装置における、処理手順の一部を示すフローチャート図である。
【図９】本発明の第１実施形態にかかるディジタル放送受信装置を内蔵したテレビジョン受信機の要部構成を示すブロック図である。
【符号の説明】
１１  受信部
１２  多重信号分離部
１４  解析制御部
１５  復号部
１６  ＯＳＤ合成部
１７  情報送信部
１００  ディジタル放送受信装置
１０１  入力端子
１０２  出力端子
１０３  情報送信端子
１０４  ユーザ入力端子
１０４’  ユーザ入力端子
１４１  ＯＳＤデータ作成部
１４２  ユーザ入力処理部
１４３  通知情報検出部
２００  双方向サービス用ＯＳＤ画面
２０１  アンケートの回答としてユーザが選択・決定できる項目
２０２  アンケートの質問内容
３００  ユーザに対する確認用ＯＳＤ画面
３０１  ユーザが情報送信の可／不可を選択・決定できる項目
３０２  番組提供者側に通知される個人情報
４０１  レベル設定部
５０１  通知情報の有無を判定する処理
５０２  確認画面を表示する処理
５０３  情報送信の可／不可を判定する処理
５０４  情報送信処理
６０１  通知情報のレベルとユーザ設定レベルを比較・判定する処理
７０１  項目設定部
８０１  通知情報の項目とユーザ設定項目を比較・判定する処理
９００  テレビジョン受信機
９０１  表示部
【図１】
0003795266.tif 000002
【図２】
0003795266.tif 000003
【図３】
0003795266.tif 000004
【図４】
0003795266.tif 000005
【図５】
0003795266.tif 000006
【図６】
0003795266.tif 000007
【図７】
0003795266.tif 000008
【図８】
0003795266.tif 000009
【図９】
0003795266.tif 000010